(57)【要約】【課題】ノズルの保守作業を１人の作業者でも容易に行うことができるインクジェット記録装置を提供する。【解決手段】インクタンクから供給ポンプにより供給されたインクをインク粒子として吐出するノズルと、前記ノズルから吐出されるインク粒子のうち印字に用いられるインク粒子に帯電電圧を帯電させる帯電電極と、前記帯電電極により帯電させられたインク粒子に偏向電圧を加え、インク粒子の飛翔方向を偏向させる偏向電極と、前記インクタンクと前記ノズルを接続する配管の途中に配置された循環ポンプと、前記帯電電極により帯電されなかったインク粒子を回収するガターと、検知センサと、を備えるインクジェット記録装置であって、前記検知センサによる検出後所定時間の間、前記ノズルのインク吐出部位に負圧が生じるように前記供給ポンプ及び前記循環ポンプを駆動させる。【選択図】図１
2010125721.tif 000002
【特許請求の範囲】
【請求項１】
インクタンクから供給ポンプにより供給されたインクをインク粒子として吐出するノズルと、
前記ノズルから吐出されるインク粒子のうち印字に用いられるインク粒子に帯電電圧を帯電させる帯電電極と、
前記帯電電極により帯電させられたインク粒子に偏向電圧を加え、インク粒子の飛翔方向を偏向させる偏向電極と、
前記インクタンクと前記ノズルを接続する配管の途中に配置された循環ポンプと、
前記帯電電極により帯電されなかったインク粒子を回収するガターと、
検知センサと、
を備えるインクジェット記録装置であって、
前記検知センサによる検出後所定時間の間、前記ノズルのインク吐出部位に負圧が生じるように前記供給ポンプ及び前記循環ポンプを駆動させることを特徴とするインクジェット記録装置。
【請求項２】
前記検知センサは、インク粒子により印字される被印字物を検知する被印字物検知センサであることを特徴とする請求項１に記載のインクジェット記録装置。
【請求項３】
前記検知センサは、前記ノズル、前記帯電電極、前記偏向電極、及び前記ガターが配置されるベースを覆うノズルカバーの着脱を検知するノズルヘッドカバー検知センサであることを特徴とする請求項１に記載のインクジェット記録装置。
【請求項４】
前記検知センサによる検出後所定時間の間、前記インク粒子の回収するガターに負圧が生じるように回収ポンプを駆動させることを特徴とする請求項１に記載のインクジェット記録装置。
【請求項５】
インクタンクから供給されたインクをインク粒子として吐出するノズルと、
前記ノズルから吐出されるインク粒子のうち印字に用いられるインク粒子に帯電電圧を帯電させる帯電電極と、
前記帯電電極により帯電させられたインク粒子に偏向電圧を加え、インク粒子の飛翔方向を偏向させる偏向電極と、
前記帯電電極により帯電させられなかったインク粒子を回収するガターと、
前記ガターに回収されたインクを吸引して前記インクタンクに回収する回収ポンプと、
検知センサと、
を備えるインクジェット記録装置であって、
前記検知センサによる検出後所定時間の間、前記ノズルのインク吐出部に負圧が生じるように前記回収ポンプを駆動させることを特徴とするインクジェット記録装置。
【請求項６】
前記検知センサは、インク粒子により印字される被印字物検知センサであることを特徴とする請求項５に記載のインクジェット記録装置。
【請求項７】
前記検知センサは、前記ノズル、前記帯電電極、前記偏向電極、及び前記ガターが配置されるベースを覆うノズルカバーの着脱を検知するノズルヘッドカバーセンサであることを特徴とする請求項５に記載のインクジェット記録装置。
【発明の詳細な説明】
【技術分野】
【０００１】
本発明は、インクジェット記録装置に関する。
【背景技術】
【０００２】
連続式のインクジェット記録装置においては、ノズルから吐出されたインク粒子を帯電電極で帯電させ、偏向電極において飛翔方向を偏向させて被印字物に印字を行っている。そして、印字を行うに際しては、被印字物を検知するセンサの信号に応じて、印字を行うようになっている。
【０００３】
このインクジェット記録装置においては、このインクジェット記録装置を長時間停止させた後に運転を再開させると、インク中の固形分がノズル内のインク流路に固着することに起因して、ノズルヘッド部から吐出されるインクビームが曲がってインクがガターから回収されない、インクビームが吐出されない、及びインクビームはガターに当たるがガターがインクを回収しない等の不具合が生じる場合がある。その際、本体部を操作して『ノズル逆洗浄』、『ガター洗浄』などの保守作業を選択した後に、ノズルヘッド部において作業を実施すると通常のインク吐出状態を回復することが可能である。
【０００４】
この保守作業は、ノズルまたはガターに溶剤をかけ、その溶剤を吸引して行うものであるため、吸引される溶剤の量が多すぎるとインクタンク内のインクの濃度が下がりすぎてしまうため、保守作業は所定時間内に行う必要がある。
【０００５】
インクの吸引の開始させるための操作作業を行う本体部と、洗浄作業を行うノズルヘッド部が離れて設置されている場合、もしくはノズルヘッド部の設置箇所の距離は近いがその場所への短時間での移動が困難な場合には、一人が保守作業のための操作を本体部に、他の一人をノズルヘッド部が設置された場所に配置して保守作業を行っていた。そのため、本来ならば一人で保守が行える作業を二人の作業要員を必要とするという事態が生じていた。
【０００６】
一方、従来の構造のままで一人で作業を行うこととすると、インクの吸引操作を本体部で行った後に、限られた時間内にノズルヘッド部の配置されている場所までの移動とノズルの洗浄作業を行う必要があるが、作業者に焦りが生じ、事故や作業ミスを発生させるなどの危険性が高い。
【０００７】
ノズルヘッド部を設置箇所から外し、本体部の近くに持ってきて作業を行うことも可能ではあるが、ノズルヘッド部を設置箇所から外す場合は、再度設置したときに初期状態と設置位置がずれて被印字物への印字が目標位置からずれてしまう危険性がある。
【０００８】
インクの粒子化を最適に設定する作業の際も同様の問題が生じており、かかる問題に対処するためノズルヘッド部に物理的なスイッチを設けて、ノズルヘッド部から処々の操作を行う技術が提案されている（例えば、特許文献１参照）。
【０００９】
【特許文献１】特開２００６−３５６７９
【発明の開示】
【発明が解決しようとする課題】
【００１０】
しかし、かかる技術によると、部品点数が増加して製造コストが増加し、ノズルヘッドの組立工程が複雑化して製造効率が低下するという問題点がある。
【００１１】
本発明の目的は、例えば、ノズルの保守作業を１人の作業者でも容易に行うことができるインクジェット記録装置を提供することにある。
【００１２】
また、本発明の他の目的は、例えば、簡易な構造によりノズルの保守作業を１人の作業者でも容易に行うことができるインクジェット記録装置を提供することにある。
【課題を解決するための手段】
【００１３】
上記課題を解決するため、本発明は、例えば、インクタンクから供給ポンプにより供給されたインクをインク粒子として吐出するノズルと、前記ノズルから吐出されるインク粒子のうち印字に用いられるインク粒子に帯電電圧を帯電させる帯電電極と、前記帯電電極により帯電させられたインク粒子に偏向電圧を加え、インク粒子の飛翔方向を偏向させる偏向電極と、前記インクタンクと前記ノズルを接続する配管の途中に配置された循環ポンプと、前記帯電電極により帯電されなかったインク粒子を回収するガターと、検知センサと、を備えるインクジェット記録装置であって、前記検知センサによる検出後所定時間の間、前記ノズルのインク吐出部位に負圧が生じるように前記供給ポンプ及び前記循環ポンプを駆動させるという構成をとる。
【発明の効果】
【００１４】
本発明によれば、インクジェット記録装置の本体からノズルヘッドまでの移動時間を考慮する必要が無いので、ノズル逆洗浄またはガター洗浄作業の一連の作業を一人の作業者により実施することができる。
【００１５】
また、本発明によれば、インクジェット記録装置の本体からノズルヘッドまでの移動時間を考慮する必要が無いので、ノズル逆洗浄またはガター洗浄作業の一連の作業を一人の作業者で行う場合であっても、移動中や移動後に事故の発生や作業ミスを低減させることができる。
【００１６】
また、本発明によれば、インクジェット記録装置の本体からノズルヘッドまでの移動時間を考慮する必要が無いので、ノズル逆洗浄またはガター洗浄作業の一連の作業を複数の作業者で行なう必要がなくなるため、作業人数の削減、及び作業時間の短縮ができ、大幅なコスト低減を図ることができる。
【発明を実施するための最良の形態】
【００１７】
以下、本発明の実施例について図を用いて詳述する。なお、本発明は、図示例に限定されるわけではない。
【００１８】
まず、図１のブロック原理図に沿ってインクジェット記録装置の概要から説明する。インクジェット記録装置１００には本体部１及びノズルヘッド２９が備えられている。本体部１には、ＣＰＵ６とＣＰＵ６に接続されたポンプ装置８が備えられており、ポンプ装置８には、供給ポンプ９、循環ポンプ１０、回収ポンプ１１が備えられており、ＣＰＵ６はこれらのポンプに制御信号を送信することにより各ポンプを制御するようになっている。
【００１９】
またさらに、ＣＰＵ６には、偏向電圧発生回路１４、帯電電圧発生回路１５、励振電圧発生回路１６、発光ダイオード２０、供給弁２１、循環弁２２、回収弁２３、封止弁２４、ノズルヘッドカバー検知センサ３５、被印字物検知センサ３７、操作表示部１０１が接続されており、ＣＰＵ６はこれらの各部に制御信号を送信することにより各部を制御するようになっている。
【００２０】
本体部１には、インク１２が充填されるインクタンク１３が備えられており、インクタンク１３はインク循環用配管１７を介して、供給弁２１と接続されている。供給弁２１は、インク循環用配管１７を介して供給ポンプ９と接続されており、供給ポンプ９は、インク循環用配管１７を介して封止弁２４に接続されている。
【００２１】
供給ポンプ８は、インクタンク１３からインク１２を吸引してインク循環用配管１７を介してノズルヘッド２９に供給するようになっている。
【００２２】
また、インクタンク１３は、インク循環用配管１８を介して循環ポンプ１０と接続されており、循環弁２２は、インク循環用配管１８を介して封止弁２４及びノズルヘッド２９に接続されている。
【００２３】
また、インクタンク１３はインク循環用配管１９を介して回収ポンプ１１にそれぞれ接続されている。回収ポンプ１１はインク循環用配管１９を介して回収弁２３に接続されており、回収弁２３は、印字に用いられなかったインクを回収するためのガター３４に接続されている。回収ポンプ１１は、ガター３４に設けられている図示しないインク回収口に負圧を生じさせるように駆動するようになっている。
【００２４】
ノズル３０には、図示しない圧電素子が備えられており、圧電素子は電気信号線２８により励震電圧発生回路１６と接続されており、圧電素子は励震電圧発生回路１６により振動させられ、ノズル３０に取付けられているオリフィス４４より吐出させられたインクは粒子化されるようになっている。
【００２５】
ノズル３０から吐出されたインク粒子の飛翔方向には、帯電電極３１及び偏向電極３２が配置されている。帯電電極３１は電気信号線２７を介して接続されている帯電電圧発生回路１５により帯電電圧を発生させられ、インク粒子に文字情報にあった電荷量を帯電させるようになっている。偏向電極３２は、プラス偏向電極３２１とマイナス偏向電極３２２を備えて構成されており、電気信号線２６を介して偏向電圧発生回路１４に接続されている。偏向電極３２は、偏向電圧発生回路１４により偏向電圧が発生させられ、帯電されられたインク粒子の飛翔方向を偏向させて被印字物の所定の位置に着弾させるようになっている。
【００２６】
ダイオード２０は、洗浄作業の合図に用いられるものであり、点灯は洗浄作業中を意味し、点滅は作業停止の所定時間前であることを意味し、消灯は作業停止中であることを意味するものである。このようにダイオード２０を所定のパターンで発光させたり、消灯させたりすることで、ノズルヘッド２９が本体１から見えない位置に配置されている場合であっても、作業状態や作業の経過時間を本体１側にいるユーザが把握することができる。
【００２７】
図３に示すように、ノズルヘッド２９には、ノズル３０、帯電電極３１、偏向電極３２及びガター３４等が配置されたベース４８が備えられており、ベース４８には、ノズル３０、帯電電極３１、偏向電極３２及びガター３４等を覆うノズルカバー４７が備えられるようになっている。
【００２８】
また、ノズルヘッド２９には、ノズルヘッドカバー検知センサ３５が備えられている。ノズルヘッドカバー検知センサ３５は、ノズルヘッドカバー４７の開閉によりノズルヘッド内部のマグネットスイッチ４８が接触し、微弱な電流が流れることでノズルヘッドの開閉を検知する。
【００２９】
被印字物検知センサ３７は、光ビームを投光する光電センサであり、投光した光ビームの反射光を受光すること、もしくは投光した光ビームの遮断などで被印字物を検知する。その被印字物検知センサ３７は電気信号線３６を介して本体部１に備えられているＣＰＵ６と接続されており、図２に示すように、インクジェット記録装置１００の本体１は、生産ライン４６の一方の側に配置され、本体１とノズルヘッド２９はホース３８を介して接続されている。ホース３８には、本体１とノズルヘッド２９を接続しているインク供給配管１７、インク循環配管１８、インク回収配管１９、電気信号線２５、電気信号線２６、電気信号線２７、電気信号線２８等が収納されている。
【００３０】
ノズルヘッド２９は生産ライン４６を挟んで本体１の配置された側と反対の側に被印字物４５に印字できるように配置されている。
【００３１】
被印字物検知センサ３７は本体１と電気信号線３６を介して本体１と接続されており、被印字物検知センサ３７は、生産ライン４６を挟んで本体１の配置された側の反対側に被印字物４５の通過を検知できるように配置されている。
【００３２】
インクジェット記録装置１００が印字を行う駆動状態になっている場合は、被印字物検知センサ３７は、生産ライン４６上を搬送されてくる被印字物４５を検知すると、検知信号を電気信号線３６を介して本体１側に送信し、検知信号を受信したが本体１側はホース３８内に収納されている電気信号線を介して、ノズルヘッド２９に印字指令に送信し、ノズルヘッド２９は被印字物検知センサ３７に検知された被印字物４５に印字を行うようになっている。
【００３３】
一方、インクジェット記録装置１００が電源は投入されてはいるが、印字待機状態になっている場合においては、被印字物検知センサ３７は、何らかの動きを検知すると検知信号をＣＰＵ６に送信し、ＣＰＵ６は検知信号を受信すると、供給ポンプ９、循環ポンプ１０及び回収ポンプ１１に駆動開始信号を送り、ポンプ装置８内の各ポンプが動作を開始させる。続いてCPU６は供給弁２１、循環弁２２、回収弁２３に開放信号を送り、各電磁弁を開放させる。この際、封止弁２４は開放されないままであるため、オリフィス４４からインクが吐出されることはなく、オリフィス４４の内部に負圧状態が作り出され、ノズルヘッドになるため外気を吸引することとなる。
【００３４】
尚、上記した例では印字作業開始の電気信号をインクジェット記録装置１００の本体１へ送る媒体手段として電気信号線を用いたが、この電気信号線の代わりに赤外線や電波による無線通信手段を用いてもよい。
【００３５】
操作表示部１０１には、インク吐出ボタン２、インク停止ボタン３、ノズル逆洗浄ボタン４、ガター洗浄ボタン５、保守機能ボタン７が備えられている。
【００３６】
インク吐出ボタン２を押圧するとインク吐出命令信号がインクジェット記録装置の運転制御を行うCPU６に伝えられ、CPU６はポンプ装置８内の供給ポンプ９、循環ポンプ１０、回収ポンプ１１とに動作開始信号を送り、ポンプ装置８内の各ポンプが動作を開始する。
【００３７】
更にCPU６は供給弁２１に開放信号を送り、供給弁２１は開放されるようになっている。これによりインクタンク１３内のインク１２はインク供給配管１７を通りノズルヘッド２９へと供給されることとなる。
【００３８】
次にCPU６は回収弁２３、封止弁２４とに開放信号を送り、各電磁弁は開放される。封止弁２４の開放によりノズルヘッド２９内のインクは圧電素子３０により振動を加えられ、オリフィス４４から吐出される。オリフィス４４からと出されたインク１２はインク粒子４３となり、帯電電極３１、偏向電極３２、３３を通過しガター３４へと至る。回収弁２３の開放によりガター３４内に入ったインク粒子４３はインク回収用配管１９を通り回収される。これが通常のインク吐出状態である。このとき発光ダイオード２０は緑色に発光する。
【００３９】
インク停止ボタン３を押圧すると、CPU６から、偏向電圧発生回路１４、帯電電圧発生回路１５及び励振電圧発生回路１６の各回路に駆動停止信号を送信され、各回路を停止させるようになっている。
【００４０】
またさらに、ＣＰＵ６は、稼動中の供給ポンプ９、循環ポンプ１０、回収ポンプ１１に対しても駆動停止信号を送信して各ポンプを停止させるとともに、開放中の供給弁２１、循環弁２２、回収弁２３及び封止弁２４に対して閉鎖信号をそれぞれ送り、各回路及び各ポンプは駆動を停止し、電磁弁は閉鎖させるようになっている。また、発光ダイオード２０は消灯させられるようになっている。これによりインクジェット記録装置１００は停止状態となる。
【００４１】
次に図４を用いて、ノズル逆洗浄又はガター洗浄を行う際における操作表示部１０１の操作の手順を説明する。
【００４２】
保守機能ボタン７を押圧すると（Ｓ１）ノズル３０の逆洗浄を行うためのノズル逆洗浄ボタン４及びガターを洗浄するためのガター洗浄ボタン５が表示されるようになっている（Ｓ２）。
【００４３】
ノズル逆洗浄ボタン４又はガター洗浄ボタン５の何れか一方を選択すると、所定時間後開始ボタン１０２と開始パターン選択ボタン１０３が表示される（Ｓ３）。所定時間後開始ボタン１０２を押圧すると、所定時間後にノズル逆洗浄又はガター洗浄を行うためのポンプの駆動や弁の開閉が行われる。開始パターン選択ボタン１０３を押圧すると、ノズルヘッドカバーセンサ検知ボタン１０４又は被印字物センサ検知ボタン１０５が表示されるようになっている（Ｓ４）。
【００４４】
ノズルヘッドカバーセンサ検知ボタン１０４を押すと（Ｓ５）、ノズルヘッド２９に備えられているノズルヘッドカバー４７をノズルヘッド２９から取り外すとノズルヘッド２９に取り付けられているノズルヘッドカバー検知センサ３５がノズルヘッドカバー４７の取り外しが検知され、ＣＰＵ６から洗浄を行う旨の信号が送信されると、信号送信後の所定時間に洗浄に必要なポンプの駆動や弁の開閉が行われるようになっている。
【００４５】
被印字物検知センサ検知ボタン１０５を押圧すると（Ｓ６）、被印字物検知センサ３７が作業者が手を翳す等のなんらかの動きが検知され、ＣＰＵ６から洗浄を行う旨の信号が送信されると、信号送信後の所定時間に洗浄に必要なポンプの駆動や弁の開閉が行われるようになっている。
【００４６】
なお、ノズル逆洗浄又はガター洗浄を行っている際に再度被印事物検知センサ３７に手を翳す、もしくはノズルヘッドカバー検知センサ３５をノズルヘッドカバー閉めると、洗浄開始後所定時間経過前であっても、被印事物検知センサ３７又はノズルヘッドカバー検知センサ３５からCPU６に検知信号が送信され、ＣＰＵ６はその検知信号を受信すると、洗浄作業を中止するようになっている。
【００４７】
また、検知後どの程度時間洗浄が行われるかについては、操作表示部１０１を操作することにより設定することができる。ノズル逆洗浄作業、ガター洗浄作業ともにノズル３０又はガター３４に直接溶剤をかけて、固着したインク１２の固形分を溶解するが、かけた溶剤はインクタンク１３内に流れ込むため、その量が多いと装置内のインク濃度が低下してしまう。そのため、ノズル洗浄作業、ガター洗浄作業の際の専用溶剤による洗浄はなるべく短い時間で少量の溶剤で行うことが望ましい。
【００４８】
次に本実施の形態にかかる発明の作用について説明する。なお、以下においては運転中のインクジェット記録装置１００を停止させた後にノズル逆洗浄を行う場合であって、センサには被印字物検知センサ３７を用いる場合について説明する。
【００４９】
まず、操作表示部１０１に備えられているインク停止ボタン３を押圧して、偏向電圧発生回路１４、帯電電圧発生回路１５及び励振電圧発生回路１６の各回路に駆動停止信号を送信して各回路を停止させるるとともに、稼動中の供給ポンプ９、循環ポンプ１０、回収ポンプ１１に対しても駆動停止信号を送信して各ポンプを停止させるる。そして、併せて、開放中の供給弁２１、循環弁２２、回収弁２３及び封止弁２４を閉鎖させる。この際、発光ダイオード２０は消灯している。
【００５０】
次いで、保守機能ボタン７を押圧すると所定時間後開始ボタン１０２と開始パターン選択ボタン１０３が表示され、開始パターン選択ボタンを押圧するとノズルヘッドカバーセンサ検知ボタン１０４及び被印字物センサ検知ボタン１０５が表示され、被印字物センサ検知ボタン１０５を押圧する。
【００５１】
その後、作業者がノズルヘッド２９の配置されている場所に位置し、被印字物検知センサ３７のセンサ部に手を翳す等すると、被印字物検知センサ３７がＣＰＵ６に検知信号を送信する。ＣＰＵ６は検知信号を受信すると、供給ポンプ９、循環ポンプ１０及び回収ポンプ１１に駆動開始信号を送り、ポンプ装置８内の各ポンプが動作を開始させる。続いてCPU６は供給弁２１、循環弁２２、回収弁２３に開放信号を送り、各電磁弁を開放させる。この際、封止弁２４は開放されないままであるため、オリフィス４４からインクが吐出されることはなく、オリフィス４４の内部は負圧になるため外気を吸引する。
【００５２】
そして、外気を吸引している状態のオリフィス４４に溶剤をかけると溶剤が吸引され、吸引された溶剤は、インク供給用配管１７、インク循環用配管１８を介してインクタンク１３に搬送される。そして、オリフィス４４から吸引された溶剤によって、オリフィス４４内に固着しているインク１２の固形成分が溶解し、適正に印字を行える状態となる。
【００５３】
次に、運転中のインクジェット記録装置１００を停止させた後にガター洗浄を行う場合であって、センサにはノズルヘッドカバー検知センサ３５を用いる場合について説明する。
【００５４】
まず、操作表示部１０１に備えられているインク停止ボタン３を押圧して、偏向電圧発生回路１４、帯電電圧発生回路１５及び励振電圧発生回路１６の各回路に駆動停止信号を送信して各回路を停止させるるとともに、稼動中の供給ポンプ９、循環ポンプ１０、回収ポンプ１１に対しても駆動停止信号を送信して各ポンプを停止させる。そして、併せて、開放中の供給弁２１、循環弁２２、回収弁２３及び封止弁２４を閉鎖させる。この際、発光ダイオード２０は消灯している。
【００５５】
次いで、保守機能ボタン７を押圧すると所定時間後開始ボタン１０２と開始パターン選択ボタン１０３が表示され、開始パターン選択ボタンを押圧するとノズルヘッドカバーセンサ検知ボタン１０４及び被印字物センサ検知ボタン１０５が表示され、ノズルヘッドカバーセンサ検知ボタン１０４を押圧する。
【００５６】
その後、作業者がノズルヘッド２９の配置されている場所に位置し、ノズルヘッド２９からノズルヘッドカバー４７を取り外すと、ノズルヘッドカバー検知センサ３７が検知しＣＰＵ６に検知信号を送信する。ＣＰＵ６は検知信号を受信すると、供給ポンプ９、循環ポンプ１０及び回収ポンプ１１に駆動開始信号を送り、ポンプ装置８内の各ポンプを駆動させる。続いてCPU６は供給弁２１、循環弁２２、回収弁２３に開放信号を送り、各電磁弁は開放される。封止弁２４は開放されていないため、インクはオリフィス４４から吐出されず、ガター３４が外気を吸引する。
【００５７】
そして、外気を吸引している状態のガター３４に溶剤をかけると溶剤が吸引され、吸引された溶剤は、インク回収用配管１９を介してインクタンク１３に搬送される。そして、ガター３４から吸引された溶剤によって、ガター３４内に固着しているインク１２の固形成分が溶解し、適正に印字を行える状態となる。
【００５８】
以上のように本実施の形態にかかる発明によれば、ノズル洗浄又はガター洗浄を行う作業者が一人であっても、本体１とノズルヘッド２９が離れており、本体１からノズルヘッド２９まで移動するのに時間がかかる場合であっても、洗浄中に規定作業時間は終了してしまう、または移動中に規定作業時間が終了してしまい、作業を行うことができないという不都合が生じることを防ぐことができる。
【図面の簡単な説明】
【００５９】
【図１】本実施例に係るインクジェット記録装置の機能ブロック図である。
【図２】本実施例に係るインクジェット記録装置の使用状態の一例を示す斜視図である。
【図３】(a)はノズルヘッドの上面図、(b)はノズルヘッドの側面図、(c)はノズルヘッドからはノズルヘッドカバーを表した状態を示した図である。
【図４】本実施例にかかる操作表示部の操作の手順を示すフローチャートである。
【符号の説明】
【００６０】
１：本体部、２：インク吐出ボタン、３：インク停止ボタン、４：ノズル逆洗浄ボタン、５：ガター洗浄ボタン、６：保守機能選択ボタン、７：CPU、８：ポンプ装置、９：供給ポンプ、１０：循環ポンプ、１１：回収ポンプ、１２：インク、１３：インクタンク、１４：偏向電圧発生回路、１５：帯電電圧発生回路、１６：励振電圧発生回路、１７：インク供給用配管、１８：インク循環用配管、１９：インク回収用配管、２０：発光ダイオード、２１：供給弁、２２：循環弁、２３：回収弁、２４：封止弁、２５：電気信号線、２６：電気信号線、２７：電気信号線、２８：電気信号線、２９：ノズルヘッド、３０：圧電素子、３１：帯電電極、３２：偏向電極（＋）、３３：偏向電極（−）、３４：ガター、３５：ノズルヘッドカバー検知センサ、３６：電気信号線、３７：被印字物検知センサ、３８：ホース、３９：電気信号線、４０：電気信号線、４１：電気信号線、４２：電気信号線、４３：インク粒子、４４：オリフィス、４５：被印字物、４６：生産ライン、４７：ノズルヘッドカバー
【図１】
2010125721.tif 000003
【図２】
2010125721.tif 000004
【図３】
2010125721.tif 000005
【図４】
2010125721.tif 000006